(57)【要約】【課題】  遊技機の制御基板を収容する制御基板アッセンブリにおいて、外部接続用のコネクタを露出させるコネクタ開口部からの異物の侵入を困難にし、また仮に侵入を許したとしても制御基板の配線パターンに対する不正なアクセスを確実に防止する。【解決手段】  外部接続用のコネクタ（７０１、７０２）をコネクタ台座（６００）を介して制御基板（ＭＣＢ）に実装し、ケース蓋（３００）のコネクタ開口部（３６１、３６２）を囲む囲壁部（３７１、３７２）をコネクタ台座に密接して制御基板を収容する。これによりコネクタ開口部からの不正な異物侵入を防止し、仮にコネクタ開口部がこじ開けられたとしても、コネクタ台座の周囲に形成したリブ（６０５）により配線パターンへの異物の侵入を阻止するので、不正アクセスを確実に防止することができる。【選択図】  図７
2006255126.tif 000002
【特許請求の範囲】
【請求項１】
所要の電子部品を装備した制御回路基板を相対向するケース基体とケース蓋との間に介在させて収容する遊技機用制御基板アッセンブリであって、
前記ケース蓋には、前記制御回路基板に実装するコネクタを挿通して外部へ露出するためのコネクタ開口部と、該コネクタ開口部の周縁を囲み前記制御回路基板側へ突出する壁部とが形成され、
前記コネクタと前記制御回路基板との間に密着して介在し、前記ケース基体と前記ケース蓋とが閉塞して当該制御回路基板を収容する状態においては、前記コネクタ開口部の周縁に形成した前記壁部の先端部分が隙間なく当接する当接面を有するコネクタ台座部材を備えていることを特徴とする遊技機用制御基板アッセンブリ。
【請求項２】
前記コネクタ台座部材の周囲には、前記ケース蓋側に突出するリブが形成されていることを特徴とする請求項１に記載の遊技機用制御基板アッセンブリ。
【発明の詳細な説明】
【技術分野】
【０００１】
本発明は、スロットマシン等の遊技機に設けられ、遊技機の動作制御に用いる制御基板を基板ケースに収容する制御基板アッセンブリに関し、特に、収容された制御基板に対する不正なアクセスを防止するための対策が講じられた制御基板アッセンブリに関する。
【背景技術】
【０００２】
スロットマシンやパチンコ機等の遊技機においては、入賞役の抽選、図柄表示制御等のゲームの出玉に関する制御をメイン制御基板と呼ばれる制御基板により行なっている。また、近年、メイン制御基板の他に、出玉に関する実質的な制御をサブ制御基板と呼ばれる制御基板により行うものもある。
【０００３】
このような制御基板においては、遊技機の制御プログラムを記憶するＲＯＭ等が不正に交換されたり配線パターンに不正な信号が付与されたりすることがないように外部から目視可能な透明な基板ケースに収容され、また基板ケースを容易には開放できないようにして、制御基板に対する不正なアクセスを防止する技術が知られている（例えば特許文献１参照）。
【０００４】
ところで、スロットマシン等に装備されるメインの制御基板は、例えばサブ制御基板等の他の制御基板や、フロントマスクに配置したスイッチ類、入賞メダルを遊技者に払い出すホッパー装置及び電源装置等の機器類に対し、ハーネスを介して電気的に接続するため、これら機器類と接続するコネクタを基板ケースの開口部を通して外部に露出させる必要がある。ところが、制御基板に実装されるコネクタと、コネクタを挿通させる基板ケースの開口部との隙間に針金等の異物を挿入し、制御基板の配線パターンやＲＡＭ等の電子部品を短絡させることで、本来とは異なる適正ではない遊技を実行させる不正行為が問題となっている。
【０００５】
このような問題に対処して、例えば特許文献２には、図１７に示される構造の基板ボックス装置が開示されている。この従来の基板ボックス装置は、互いに対向する蓋体（９０１）と基体（９０２）とから構成され、蓋体（９０１）のコネクタ開口部（９０５）の周囲に囲み壁（９０６）が形成されている。また、制御基板（９０３）の配線パターンをコネクタ配設領域（９０８）と回路領域（９０９）とに区分けし、これらを隔てる蓋体（９０１）側の境界に防護壁（９０７）が形成されている。この従来の基板ボックス装置によれば、コネクタ開口部（９０５）から内部へ針金等の異物を挿入させようとしても、コネクタ（９０４）の周囲に形成される囲み壁（９０６）により蓋体（９０１）の撓みが防止され、その侵入は困難となる。また、仮にコネクタ（９０４）の隙間をこじ開けて異物の侵入を許したとしても、コネクタ配設領域（９０８）を取り囲む防護壁（９０７）に阻まれて回路領域（９０９）への不正なアクセスは極めて困難となり、上述した電子部品を短絡させる等の不正行為が防止される。
【０００６】
【特許文献１】特開２００４−２０９２３８号公報
【特許文献２】特開２００１−２０４９４１号公報
【発明の開示】
【発明が解決しようとする課題】
【０００７】
しかし、図１７に示される従来の基板ボックス装置においては、囲み壁（９０６）を形成したことによりコネクタ開口部（９０５）をこじ開けて内部へ異物を侵入させることは困難ではあるが、極めて微細で薄い形状の異物によっては囲み壁（９０６）をすり抜けて、コネクタ配設領域（９０８）の配線パターンが短絡等されるおそれがあった。
【０００８】
また、このようなコネクタ開口部（９０５）からの異物の侵入に対して更に内部の電子部品等を防御するために、制御基板（９０３）の配線パターンを回路領域（９０９）とコネクタ配設領域（９０８）とに分離して構成する必要があり、このため制御基板（９０３）の配線パターンの設計の自由度が制限されたり、また基板ボックス装置を大型にせざるを得ないといった問題もあった。
【０００９】
本発明は、こうした従来の問題に鑑みてなされたものであり、遊技機の制御基板を収容する制御基板アッセンブリにおいて、外部接続用のコネクタを露出させるコネクタ開口部からの異物の侵入を困難にし、また仮に侵入を許したとしても制御基板の配線パターンに対する不正なアクセスを確実に防止する等の遊技機用の制御基板アッセンブリを提供することを目的としている。
【課題を解決するための手段】
【００１０】
上述した課題を解決するため、請求項１に記載の発明は、所要の電子部品を装備した制御回路基板を相対向するケース基体とケース蓋との間に介在させて収容する遊技機用制御基板アッセンブリであって、前記ケース蓋には、前記制御回路基板に実装するコネクタを挿通して外部へ露出するためのコネクタ開口部と、該コネクタ開口部の周縁を囲み前記制御回路基板側へ突出する壁部とが形成され、前記コネクタと前記制御回路基板との間に密着して介在し、前記ケース基体と前記ケース蓋とが閉塞して当該制御回路基板を収容する状態においては、前記コネクタ開口部の周縁に形成した前記壁部の先端部分が隙間なく当接する当接面を有するコネクタ台座部材を備えていることを特徴とする。
【００１１】
請求項１に記載の遊技機用制御基板アッセンブリによれば、ケース基体とケース蓋とが閉塞し制御回路基板を収容する状態において、コネクタと制御回路基板との間に密着して介在するコネクタ台座部材の当接面と、コネクタ開口部の周縁に形成した壁部の先端部分が隙間なく当接することにより、コネクタ開口部からの異物の侵入を困難にする。
【００１２】
請求項２に記載の発明は、請求項１に記載の遊技機用制御基板アッセンブリであって、前記コネクタ台座部材の周囲には、前記ケース蓋側に突出するリブが形成されていることを特徴とする。
【００１３】
請求項２に記載の遊技機用制御基板アッセンブリによれば、仮にコネクタ開口部周縁の壁部とコネクタ台座部材との当接面との間を通して異物の侵入を許したとしても、コネクタ台座部材が制御回路基板に密接することにより当該制御回路基板の配線パターンがコネクタ台座部材に覆われているので、異物による配線パターンへの不正なアクセスが防止される。また、コネクタ台座部材の周囲に突出するリブにより異物の更なるケース内部への侵入を阻むので、配線パターンへの不正なアクセスが確実に防止される。
【発明の効果】
【００１４】
上述したように、本発明の遊技機用制御基板アッセンブリによれば、ケース基体とケース蓋とが閉塞し制御回路基板を収容する状態において、コネクタと制御回路基板との間に密着して介在するコネクタ台座部材の当接面と、コネクタ開口部の周縁に形成した壁部の先端部分が隙間なく当接することにより、コネクタ開口部からの異物の侵入を困難にする。また、仮にコネクタ開口部周縁の壁部とコネクタ台座部材との当接面との間を通して異物の侵入を許したとしても、コネクタ台座部材が制御回路基板に密接することにより当該制御回路基板の配線パターンがコネクタ台座部材に覆われ、異物による配線パターンへの不正なアクセスが防止される。また、コネクタ台座部材の周囲に突出するリブにより異物の更なるケース内部への侵入を阻むので、配線パターンへの不正なアクセスを確実に防止する。
【発明を実施するための最良の形態】
【００１５】
以下、本発明の好適な実施形態を図面に基づいて説明する。まず、本発明の基板ケースを備える遊技機としてスロットマシンを例にその概略構成を説明する。ここで、図１はスロットマシンの外観を表す正面図、図２はスロットマシンの前扉を開放してその内部の構造を表した図である。
【００１６】
始めに、図１を参照してスロットマシンＳＭの外観構造を説明する。スロットマシンＳＭは、いわゆるフロントパネルを形成する前扉ＦＤが略矩形状の箱体である筐体（ＭＢ）に対し開閉可能に取り付けられている。前扉ＦＤは、視覚効果を高めてデザインされた上部パネル部ＵＰと下部パネル部ＬＰとに概ね区分けされるが、これらは硬質プラスチックにより一体的に形成されている。また、前扉ＦＤの下部には、メダルを貯留するための受皿部が形成された受皿ユニットＴＵが設けられている。
【００１７】
上部パネル部ＵＰの周縁部分には、高輝度の発光ダイオードを内蔵する上部ランプＵＬ及びサイドランプＳＬが配置されている。また、スピーカを内蔵し遊技に係る効果音を発生させる演出用放音部ＳＡＬ、ＳＡＲが上部パネル部ＵＰの左右にそれぞれ配置されている。また、演出用放音部ＳＡＬ、ＳＡＲの間には、遊技の演出に係る映像を主に表示する演出表示装置としての液晶表示ユニットＦＰＤが配置されている。
【００１８】
更に上部パネル部ＵＰには平板状のパネル面を有するパネルユニットＰＵが取り付けられ、その中央に略長方形の透明な表示窓ＦＷが形成されている。表示窓ＦＷを通して目視されるリールＲ１、Ｒ２、Ｒ３は、それぞれ円筒形状を有して独立して回転可能であり、筐体内において軸方向に３個配列されている。遊技者は、各リールＲ１、Ｒ２、Ｒ３の外周面に配置した複数種類の図柄のうち、縦３個、横３列の図柄を表示窓ＦＷを通して目視することができる。
【００１９】
上部パネル部ＵＰと下部パネル部ＬＰとの間には、遊技操作を行うためのスイッチ類が配置された操作卓ＯＰＴが一体的に形成されている。操作卓ＯＰＴには、メダルを投入するための投入口を有するメダル投入部ＭＤと、ベットボタンＢＥＴと、スタートレバーＳＴＬと、ストップボタンＳＴＢ１、ＳＴＢ２、ＳＴＢ３がそれぞれ配設されている。
【００２０】
ベットボタンＢＥＴは、スロットマシンの１ゲームに賭けるメダルの枚数を提示するためのボタンスイッチである。スロットマシンＳＭは、何れかのベットボタンＢＥＴが押圧操作されることにより当該ゲームにメダルが賭けられ、スタートレバーＳＴＬが傾倒操作されるとリールＲ１、Ｒ２、Ｒ３を一斉に回転させる。このときスロットマシンＳＭは、入賞の抽選を内部的な処理で行う。そして、各ストップボタンＳＴＢ１、ＳＴＢ２、ＳＴＢ３が押圧操作されることで、対応するリールＲ１、Ｒ２、Ｒ３をそれぞれ停止させる。全てのリールが停止し、表示窓ＦＷに設定される有効ライン上に表示した図柄の組合せが上述の内部抽選により当選した入賞に係る組合せと一致した場合、当該入賞が確定する。
【００２１】
下部パネル部ＬＰには、スロットマシンＳＭのモデルタイプを遊技者へ認識させる等のため、登場キャラクターの絵などを表示する表示パネルＤＰが設けられている。下部パネル部ＬＰの下側に配置される受皿ユニットＴＵには、入賞時等においてメダルを受皿部に排出するメダル払出口ＭＥＸと、スピーカを内蔵し演出効果音を発生させる演出用放音部ＳＡＢがそれぞれ配置されている。
【００２２】
次に、図２を参照してスロットマシンＳＭの内部構造を説明する。筐体ＭＢ内の背板上部には、スロットマシンＳＭの全体動作を統括して制御するメイン制御基板ＭＣＢを基板ケース１００に収容するメイン制御基板アッセンブリＭＣＡが取り付けられている。メイン制御基板ＭＣＢは、ＭＰＵ、ＲＯＭ、ＲＡＭ等を含むマイコンをベースに形成された制御回路基板であり、透明なプラスチックケースである基板ケース１００に収容されている。
【００２３】
筐体ＭＢ内の中央には、リールＲ１、Ｒ２、Ｒ３を備えるリールユニットＲＵが設けられている。リールユニットＲＵは、前扉ＦＤが筐体ＭＢ側に閉じられるとパネルユニットＰＵに形成された表示窓ＦＷにリールＲ１、Ｒ２、Ｒ３が対向するように、筐体ＭＢ内の所定の高さに固定されたフレームに位置決めされて取り付けられている。なお、各リールＲ１、Ｒ２、Ｒ３は、それぞれの中心軸に連結するステッピングモータによって回転駆動される。リールユニットＲＵの上部には、各ステッピングモータへ４相の駆動パルス信号を送出する図示しない回胴装置基板が取り付けられており、メイン制御基板ＭＣＢが回胴装置基板に回胴駆動（励磁）パルスデータを送出することで、各リールの回転と制動及び停止の制御を行っている。
【００２４】
リールユニットＲＵの下方には、メダル投入部ＭＤから投入されたメダルを貯留し、入賞の配当の際にメダル排出口ＭＥＸからメダルを排出するホッパ装置ＨＰＵと、ホッパ装置ＨＰＵから溢れたメダルを収容するための補助貯留部ＭＳＴと、スロットマシンＳＭに内蔵される各機器へ電力を配電する主電源装置ＰＷＵとが設けられている。
【００２５】
前扉ＦＤの裏面上部には、上述の演出用放音部ＳＡＬ、ＳＡＲに対向してスピーカＳＰＬ、ＳＰＲが取り付けられている。また、図２には示していないが、スピーカＳＰＬ、ＳＰＲの間に、液晶表示ユニットＦＰＤが取り付けられ、液晶表示ユニットの裏面側に当該液晶表示ユニット等を制御駆動するサブ制御基板ＳＣＢが透明な基板ケースに収容されて取り付けられている。サブ制御基板ＳＣＢは、液晶表示ユニットＦＰＤによる演出映像の表示制御、上部ランプＵＬ及びサイドランプＳＬ等を使った照明制御、更には演出用放音部ＳＡＬ、ＳＡＲ、ＳＡＢを使った演出効果音制御など、ゲームの演出に係る制御を主に行う。
【００２６】
サブ制御基板ＳＣＢの下方には、前面にリールＲ１、Ｒ２、Ｒ３を目視させるための透明な表示窓ＦＷを有するパネルユニットＰＵが取り付けられる。パネルユニットＰＵの裏面側には、リールＲ１、Ｒ２、Ｒ３の外周面を照射して図柄を明るく表示させるための冷陰極蛍光ランプＣＦＬと、スタートレバーＳＴＬ及びストップボタンＳＴＢ１、ＳＴＢ２、ＳＴＢ３等の操作スイッチ類の出力信号をメイン制御基板ＭＣＢへ転送する中継基板として機能する中央表示基板ＣＤＢとを備え、これらがユニット化されて形成されている。
【００２７】
パネルユニットＰＵの下方には、メダル選別装置ＭＳＵが取り付けられている。メダル選別装置ＭＳＵは、メダル投入部ＭＤに投入されたメダルの適否を判別し振り分ける装置である。また、メダル選別装置ＭＳＵに内蔵されるメダルセンサはメダル投入部ＭＤに投入された正規のメダルを検出し、その検出信号をメイン制御基板ＭＣＢへ送出する。
【００２８】
メダル選別装置ＭＳＵの下方には、これによって選別された正規のメダルをホッパ装置ＨＰＵへ案内するガイド部材Ｇ１と、メダル選別装置ＭＳＵにより排除されたメダル（または異物）をメダル排出口ＭＥＸへ案内するガイド部材Ｇ２が設けられている。また、前扉ＦＤの裏面下部には、ホッパ装置ＨＰＵの排出口から排出されたメダルをメダル排出口ＭＥＸへ案内するガイド部材Ｇ３が設けられている。更に、メダル排出口ＭＥＸに隣接して、上述した演出用放音部ＳＡＢに対向するスピーカＳＰＢが取り付けられている。
【００２９】
かかる構成のスロットマシンＳＭは、先のゲームにおいて入賞しメダルの払い出しが完了した時、又は先のゲームにおいてハズレが確定すると待機状態となる。この待機状態においてベットボタンＢＥＴを押圧操作することで、内部に貯留したメダル（クレジット）から当該ゲームにメダルが賭けられゲーム開始の状態となる。ゲーム開始の状態でスタートレバーＳＴＬが傾倒操作されると、メイン制御基板ＭＣＢは、３個のリールＲ１、Ｒ２、Ｒ３を一斉に回転させる。同時に入賞役を内部抽選し、その結果をフラグ（内部抽選フラグ）に記憶する。
【００３０】
次に、遊技者がストップボタンＳＴＢ１、ＳＴＢ２、ＳＴＢ３を任意の順番で押圧操作すると、メイン制御基板ＭＣＢは、それに従い対応するリールを順次停止させる。そして、全てのリールＲ１、Ｒ２、Ｒ３が停止したことを検知すると、各リールが表示する図柄と上述のフラグに対応する入賞役に係る図柄の組合せとが一致しているかどうか判定する。当選した入賞役に係る図柄が有効ラインに揃って表示され入賞が確定すると、当該入賞役の種類に応じて予め決められた配当数のメダルをクレジット数に加算し、またクレジットするメダルの枚数が上限値を超える場合には、ホッパ装置ＨＰＵを駆動して相当数のメダルを受皿ユニットＴＵの受皿部へ払い出すことで、遊技者に入賞メダルを配当する。
【００３１】
次に、かかるスロットマシンＳＭのメイン制御基板ＭＣＢを収容する基板ケース１００、及びそれを用いたメイン制御基板アッセンブリＭＣＡについて説明する。ここで、図３は、本発明に関わるメイン制御基板アッセンブリＭＣＡの外観を表す斜視図、図４はその構成を表した分解斜視図、図５は基板ケース１００を背後から見た分解斜視図である。
【００３２】
これらの図を参照し、メイン制御基板アッセンブリＭＣＡは、メイン制御基板ＭＣＢと、互いに対向しメイン制御基板ＭＣＢを挟むようにして収容するケース基体２００及びケース蓋３００とを備えている。なお、基板ケース１００は、ケース基体２００とケース蓋３００とから構成され、またメイン制御基板アッセンブリＭＣＡは、左右一対のブラケット部材ＢＲａ、ＢＲｂを介し、ケース基体２００を背面側にケース蓋３００を正面側に配置して筐体ＭＢの背板内面に取り付けられる。
【００３３】
図４において左側に位置する第１のブラケット部材ＢＲａは、基板ケース１００の背面に対向してこれを保持する平板部１０と、平板部１０の左縁に沿い前方へ立設する側壁部１１と、平板部１０の下縁から前方へ立設する支持台部１２とを主に有して、これらが硬質のプラスチックで一体的に形成されている。また、平板部１０には、遊技機の筐体ＭＢ（図２参照）の背板に取り付け固定するための取付ボルトを挿通させるボルト孔１０ａが所定の位置に適宜数形成されている。また、側壁部１１の内側には基板ケース１００のケース蓋３００の側部に形成される嵌合突起３０６（図５参照）を嵌合させ基板ケース１００を安定して保持するための嵌合凹部１１ａが上下２カ所に形成されている。
【００３４】
図４において右側に位置する第２のブラケット部材ＢＲｂは、第１のブラケット部材ＢＲａと同様に硬質のプラスチックで一体的に形成されるもので、基板ケース１００の背面に対向する平板部２０と、平板部２０の右縁に立設する側壁部２１と、側壁部２１の内方に形成される段部２１ａと、段部２１ａに植設され前方に延びる円柱状の２本の支持柱部２３と、平板部２０の側壁部２１に近接する位置に形成される複数（例えば４個）の円筒開口部２４と、平板部２０の上縁から前方に延び先端内側に鉤状の係止突起２５ａが形成された弾性変形可能な係止アーム２５と、係止アーム２５に対向するように平板部２０の下縁から前方へ立設する支持台部２２とを主に有している。なお、係止アーム２５の上面は、外方へ開いた際に弾性圧縮する側の面であり、ここに当該弾性圧縮方向に沿うリブ２５ｂが形成されている。また、支持台部２２の上面は、基板ケース１００の下側外縁を載置して支持するために平坦に形成されている。
【００３５】
ブラケット部材ＢＲｂの円筒開口部２４は、基板ケース１００を離脱不能に装着する係合手段としての不正離脱防止手段の一方を構成するもので、後述する円筒状の接続部材５００が挿入されその係合凸部（５０２、５０４）を係合させる係合凹部（２４ａ）が円筒容器の内壁に形成されている。また、平板部２０には、第１のブラケット部材ＢＲａと同様の取り付け用のボルト孔２０ａが適宜の箇所に形成されている。
【００３６】
なお、第１及び第２のブラケット部材ＢＲａ、ＢＲｂの平板部１０、２０を面一に連続させて一体形成し、１つのブラケット部材により基板ケース１００を取り付ける構造であってもよい。
【００３７】
次に、基板ケース１００の一方を構成するケース基体２００は、正面側が開放する略矩形箱体の形状を有して透明なプラスチックにより一体形成したものである。そして、リブが形成された底板２０３にネジ（不図示）を介してメイン制御基板ＭＣＢが固定される（図４参照）。
【００３８】
ケース基体２００の下側壁２０４には、ケース蓋３００と揺動可能にヒンジ接続するためのヒンジ軸受２０１が所定間隔をおいて３箇所に形成されている（図４参照）。なお、より詳細には、ケース基体２００の下側壁２０４は、底板２０３の下辺端よりも若干内方にずれて形成され、下側に開放する弧状のヒンジ軸受２０１が底板２０３の下辺端よりも上方へ奥まった位置にそれぞれ形成されている。
【００３９】
また、ケース基体２００の上側壁両端には、先端に係止孔２０２ａを有し上下に弾性変形可能な係止アーム２０２が形成されている。
【００４０】
更に、ケース基体２００の上側壁には、ケース蓋３００を離脱不能に係合させるための角形の接続部材４００を保持する２箇所の接続部材保持部２１０（不正開放防止手段）と、円筒状の接続部材５００が挿入されてケース蓋３００を係合させる有底円筒容器状の円筒開口部２４０と、予備の接続部材５００を格納しておくための円筒容器開口部２５０とがそれぞれ形成されている。なお、ケース基体２００とケース蓋３００とは、主として角形の接続部材４００を介して離脱不能に係合されるが、円筒開口部２４０に円筒状の接続部材５００を挿入しても補助的にケース部材同士を係合することができるようになっている。この補助的な係合手段の用途は、例えば、遊技店舗において基板ケース１００を一旦開放し、内部のメイン制御基板ＭＣＢを動作チェックした後にメイン制御基板アッセンブリＭＣＡを製造メーカ等へ戻す場合があるが、メイン制御基板ＭＣＢのＲＯＭ等の重要な電子部品がその搬送中に盗まれないよう基板ケース１００を再封止する際に円筒開口部２４０が使用される。
【００４１】
基板ケース１００の他方を構成するケース蓋３００は、背面側が開放する略矩形箱体の形状を有し、透明なプラスチックにより一体形成したものである。ケース蓋３００の下側部分は、外壁３０２と内壁３０７とによる二重壁の構造となっており、内壁３０７の端辺にはケース基体２００のヒンジ軸受２０１と位置整合してヒンジ軸３０１が複数形成されている（図５参照）。基板ケース１００を組み立てる際には、ケース基体２００のヒンジ軸受２０１にケース蓋３００のヒンジ軸３０１を所定範囲内の角度で嵌め込むことで、ケース蓋３００とケース基体２００とが開閉揺動自在に接続される。
【００４２】
ケース蓋３００の上側壁両端には係止突起３０３がそれぞれ形成されている。ケース蓋３００をケース基体２００側に揺動して閉じ、ケース基体２００の係止アーム２０２を弾性変形させてその係止孔２０２ａを係止突起３０３に係止させることにより、ケース部材同士の閉塞状態が保持されるようになっている。
【００４３】
また、ケース蓋３００の上側壁には、接続部材４００の角筒部４１０を挿入可能として四角形に開口する、有底の角筒開口部３１０が２箇所にそれぞれ連結部３１２を介して形成されている（不正開放防止手段）。なお、詳細は後述するが、角筒開口部３１０の内壁には、挿入された接続部材４００の角筒部４１０の係合凸部４１２と係合し得る係合凹部３１１が形成されている。
【００４４】
更に、ケース蓋３００の上側壁には、ケース基体２００側の円筒開口部２４０と対向し接続部材５００を介して補助的に係合するための円筒開口部３４０と、同じくケース基体２００側の円筒容器開口部２５０に対向して予備の接続部材５００を格納するための円筒容器開口部３５０とがそれぞれ連結部３４２、３５２を介して形成されている。
【００４５】
そして、ケース蓋３００がケース基体２００に閉じた際、接続部材保持部２１０と角筒開口部３１０とを共に含めて囲繞する囲壁部３１９と、円筒開口部２４０、３４０を囲繞する囲壁部３４９と、円筒容器開口部２５０、３５０を囲繞する囲壁部３５９とが、それぞれケース蓋３００の上側壁に形成されている。
【００４６】
ここで、図５とケース蓋３００の一部拡大図である図６を参照して、囲壁部３１９の構造を説明する。すなわち、囲壁部３１９は、角筒開口部３１０の外周縁に対し所定の間隙をおいて囲む外郭壁としてケース蓋３００に形成されるもので、接続部材保持部２１０に対向する側が開口となっており、ケース蓋３００がケース基体２００に閉じた際には、接続部材保持部２１０がこの開口を通して角筒開口部３１０と嵌合し、これにより角筒開口部３１０と接続部材保持部２１０とを含む不正開放防止手段（係合手段）を囲繞する形態を有している。また、囲壁部３１９の一側壁は、正面側から背面側にかけて次第に肉厚となる傾斜壁面３２０となっている。かかる構造の囲壁部３１９により、不正開放防止手段に対する外部からの不正なアクセスを防御し、例えばカッター等を用いて係合状態を破壊する等の不正行為を困難にする。また、仮に傾斜壁面３２０の側方からドリル等の不正工具により孔が開けられて不正開放防止手段が破壊されたとしても、その穿孔などの痕跡を正面側から容易に視認されるので、かかる不正の事実を迅速に発見することができる。
【００４７】
なお、円筒開口部２４０、３４０を囲繞する囲壁部３４９、及び円筒容器開口部２５０、３５０を囲繞する囲壁部３５９も、これら開口部に対する外部からの不正なアクセスを防御するために形成されている。
【００４８】
また、基板ケース１００がブラケット部材ＢＲａ、ＢＲｂに取り付けられる際、ブラケット部材ＢＲｂの円筒開口部２４と対向して開口する円筒開口部３３０がケース蓋３００の側壁に連結部３３３を介してそれぞれ形成されている（不正離脱防止手段）。
【００４９】
図６における円内は、この円筒開口部３３０をケース蓋３００本体と連結する連結部３３３の詳細断面を示している。同図円内に示すように、連結部３３３は、２本の平行な棒体である桁部３３３ａと、双方の桁部３３３ａの隙間を塞ぐように架け渡され正面に対向する面を有する薄い板状の薄膜部３３３ｂとを有して一体化して形成されている。強度的には、円筒開口部３３０は、連結部３３３の桁部３３３ａによってケース蓋３００本体に片持ち支持されるが、その一方で連結部３３３は、ニッパー等の工具を用いて切断可能であることも要求される。すなわち、連結部３３３は、これらの相反する双方の要求を満足する強度均衡に基づいて桁部３３３ａの断面積等が設計される。
【００５０】
また、円筒開口部３３０の底部は、薄膜部３３３ｂにより、円筒開口部３３０の一部を含むケース蓋３００本体と連結され、したがって、正面から視認される連結部３３３の領域が従来よりも広く見えやすくなっている。すなわり、基板ケース１００の脱着の痕跡を示す連結部３３３の切断状態を正面から見えやすくすることで、基板ケース１００の不正な脱着を容易にまたは確実に発見できるようにしている。
【００５１】
更には、例えば図５及び図６に示した角筒開口部３１０についても、同様構造の連結部３１２によりケース蓋３００本体に片持ち支持されている。この連結部３１２も、図示はしていないが桁部と薄膜部とからなり、薄膜部によって連結部の表面積を大きくして切断状態を正面から見えやすくするという、上述の連結部３３３と同一の作用効果を有するので、実質的に同一の技術的範囲に含まれる思想である。
【００５２】
ケース蓋３００の上記の円筒開口部３３０が形成される側には、これら円筒開口部３３０を囲む矩形枠部３０４が形成されている。また、矩形枠部３０４の上側端部分に、ブラケット部材ＢＲｂの係止アーム２５を係止させるための係止端３０８が形成されている。また、円筒開口部３３０が形成される反対側のケース蓋３００側壁には、嵌合突起３０６が上下２箇所に形成されている。ケース蓋３００にはこれらの他に、メイン制御基板ＭＣＢに実装され他の制御回路基板及び内蔵機器等をハーネスを介して電気的に接続するためのコネクタ７０１、７０２、７０３、７０４を外部に露出させるコネクタ開口部３６１、３６２、３６３、３６４が対応する位置にそれぞれ形成されている。
【００５３】
メイン制御基板アッセンブリＭＣＡは、これらコネクタ開口部からの針金等の異物の侵入を防止すべく密閉した構造を有している。ここで、図７は、メイン制御基板ＭＣＢを収容した状態におけるコネクタ実装部分の構造を拡大して表した断面図である。また、図８は、コネクタ７０１、７０２、７０３とメイン制御基板ＭＣＢとの間に密着して介在するコネクタ台座６００の一部切断面の形状を示した斜視図である。
【００５４】
これらの図を参照し、まず、コネクタ台座６００は、遊技機に内蔵する機器類とハーネスを介して接続するためのコネクタ７０１、７０２、７０３のリード電極端子を基板側へ挿通させる開口をそれぞれ有し、この開口の周縁が各コネクタの底部と密接するコネクタ支持部６０１、６０２、６０３となっている。各コネクタ支持部６０１、６０２、６０３の周囲の部分は、これら開口より若干高い平坦な面によりケース当接面６０４が形成され、更にケース当接面６０４の周縁を取り囲んで当該ケース当接面６０４に対し直交するように上下に突出するリブ６０５が形成されている。
【００５５】
図７に示されるように、コネクタ７０１、７０２は、コネクタ台座６００の開口にリード電極端子が挿通してメイン制御基板ＭＣＢの配線パターンにはんだ付けされている。このとき、コネクタ台座６００は、コネクタ７０１、７０２の底部とメイン制御基板ＭＣＢとの間にコネクタ支持部６０１、６０２が密着して挟まれ、ケース当接面６０４の裏面がメイン制御基板ＭＣＢの配線パターンの一部を覆うように固定されている。
【００５６】
一方、ケース蓋３００のコネクタ開口部３６１、３６２の周縁には、メイン制御基板ＭＣＢ側へ突出する囲壁部３７１、３７２がそれぞれ形成され、基板ケース１００がメイン制御基板ＭＣＢを収容する状態では、囲壁部３７１、３７２の先端部分がコネクタ台座６００の上述のケース当接面６０４に隙間なく当接している。
【００５７】
このように、基板ケース１００がメイン制御基板ＭＣＢを収容する状態では、コネクタ７０１〜７０３を外部へ露出させつつコネクタ開口部３６１〜３６３が密閉され、これらの間から不正に針金等の異物を侵入させることは困難となる。また、仮にコネクタ開口部３６１〜３６３がこじ開けられて異物の侵入を許したとしても、コネクタ台座６００に覆われた配線パターンに対する短絡または不当な信号の付与等の不正なアクセスは防止される。また、コネクタ台座６００の周囲に突出するリブ６０５により、異物の更なる内部侵入を阻むので、メイン制御基板ＭＣＢの配線パターンや電子部品への不正行為を確実に防止することができる。
【００５８】
更に、コネクタ台座６００にリブ６０５を形成することにより、メイン制御基板ＭＣＢに対するリフロー（はんだ付け）等の熱処理工程の際にも、コネクタ台座６００の反りまたは撓み等の熱変形を微小にすることができ、これによるコネクタ７０１〜７０３の接続不良が生じない等の有利な効果も併せて持つことができる。
【００５９】
なお、メイン制御基板アッセンブリＭＣＡに備えられる他のコネクタ７０４、７０５についてもコネクタ台座６５０を介してメイン制御基板ＭＣＢに実装され、コネクタ開口部３６４、３６５が密閉されている。
【００６０】
メイン制御基板ＭＣＢには、スロットマシンＳＭの出玉に関する設定データや動作制御に関するプログラムを記憶するＲＯＭが搭載されているが、本実施形態ではそのような重要電子部品の搭載位置が基板ケース１００の構造との関係で決められている。すなわち、図９に示す基板ケース１００の正面図から明らかなように、不正開放防止手段等（３１０、３４０）が設けられる近い場所にＲＯＭが配置されている。これは、ＲＯＭ等に近い位置ではケース蓋３００とケース基体２００とのこじ開けを不可能にして、その盗難を防止するためである。また、同様にＲＯＭ等の重要電子部品を予備的な開放防止手段である円筒開口部３４０の近くに配置することで、メイン制御基板アッセンブリＭＣＡの返却搬送中における当該部品の盗難等を予防している。
【００６１】
基板ケース１００の組み立ては、メイン制御基板ＭＣＢをケース基体２００にビスにより装着し、またケース基体２００のヒンジ軸受２０１にケース蓋３００のヒンジ軸３０１を所定範囲の角度で嵌め込むことでケース蓋３００とケース基体２００とが開閉揺動自在に接続される。そして、ケース蓋３００を閉じると、図３に示されるように、ケース基体２００側の係止アーム２０２の係止孔２０２ａとケース蓋３００側の係止突起３０３とが係合する。このとき、ケース基体２００とケース蓋３００とは、それぞれの周壁の端部同士が密着して嵌合するため、メイン制御基板ＭＣＢをケース外部から針金などを使って不正にアクセスすることができなくなる。
【００６２】
更に、ケース基体２００にケース蓋３００を閉じただけでは係止アーム２０２がその弾性変形力により係止突起３０３と係止しているだけであり、これら係止状態を解除すれば容易に開放できる状態にある。そこで、ケース基体２００の一方、または両方の接続部材保持部２１０に接続部材４００を挿着し、これを介してケース蓋３００の角筒開口部３１０と係合接続することにより、ケース基体２００とケース蓋３００とを離脱不能に接続して、容易には開放できない状態でメイン制御基板ＭＣＢを収容している。
【００６３】
かかる基板ケース部材同士を離脱不能に係合する係合手段としての不正開放防止手段について以下詳細に説明する。ここで、図１０は上述の接続部材４００の外観斜視図、図１１はケース基体２００の接続部材保持部２１０を拡大して表す正面図、図１２は図１１における接続部材保持部２１０の縦断面図、図１３は図１１における接続部材保持部２１０の横断面図である。
【００６４】
まず、図１０を参照し、接続部材４００は、四角筒状の角筒部４１０と、角筒部４１０の底部に連接し当該角筒部４１０の軸線とは直交する一の方向（図面では上下方向）を長手方向とする略直方体形状の拡幅部４２０とを有して、これらが硬質のプラスチックで一体的に形成されている。角筒部４１０は、中空で四角形の筒体４１１からなり、筒体４１１の上下の面には、一辺を残すコの字状の溝４１３によって画成され、夫々上下に突出する係合凸部４１２が形成されている。係合凸部４１２は、角筒部４１０の被挿入側にテーパ（端から拡幅部４２０方向に次第に外方へ突出する斜面）を有し、またコの字状の溝４１３により筒体４１１の内部に向けて弾性変形可能となっている。
【００６５】
拡幅部４２０は、角筒部４１０の左右方向の幅に比して拡幅された寸法を有し、更にその長手方向は角筒部４１０の一辺よりも長く形成されている。なお図１０に示されるように、拡幅部４２０の前面であって、角筒部４１０を挟む左右の拡幅された領域面を、ここでは「拡幅面」４２１と呼んでいる。
【００６６】
図１１（ａ）は接続部材４００を挿着する前の接続部材保持部２１０を拡大して示し、また図１２（ａ）は、図１１（ａ）に示すＡｖ−Ａｖ線に沿う縦断面を示し、図１３（ａ）は、図１１（ａ）に示すＡｈ−Ａｈ線に沿う横断面を示している。これらの図面を参照し、接続部材保持部２１０は、ケースの上側壁から内部へかけて（図１１及び図１２においては上下方向に沿って）互いに対向する一対の案内壁部２１２と、案内壁部２１２の前方端、すなわち図示しないケース蓋（３００）を臨む側の各案内壁部２１２の端から互いに対向するようにほぼ直角に折れ、それぞれ内方へ突出する係止凸部２１１とを有して形成されている。
【００６７】
接続部材保持部２１０は、上述の接続部材４００を所定の位置及び姿勢で保持できるよう、接続部材４００との相互の関係において各部の寸法形状が定められている。すなわち、上述の一対の案内壁部２１２は、接続部材４００の拡幅部４２０の幅に相当する間隔で平行し、また係止凸部２１１は、ケース基体２００の内方において開放するとともに、各係止凸部２１１の突出する長さが接続部材４００の拡幅面４２１の幅に相当している。なお、接続部材保持部２１０へ接続部材４００を挿入するための挿入口２１３が、ケース基体２００の内部において、案内壁部２１２の端部に形成されている。
【００６８】
ケース蓋３００を離脱不能に係合する際には、まず接続部材４００が接続部材保持部２１０に挿着される。ここで、図１１（ｂ）は接続部材４００がケース蓋の角筒開口部（３１０）と係合可能な所定位置に挿着された状態の、接続部材保持部２１０の正面外観を示し、また図１２（ｂ）は、図１１（ｂ）に示すＢｖ−Ｂｖ線に沿う縦断面、図１３（ｂ）は、図１１（ｂ）に示すＢｈ−Ｂｈ線に沿う横断面を示している。これらの図に示されるように、接続部材４００を接続部材保持部２１０へ挿着するには、接続部材４００の拡幅部４２０をその長手方向に沿ってケース基体２００の内方から各案内壁部２１２の間（挿入口２１３）に挿入し、係合部４１０を各係止凸部２１１の隙間から突出させた状態でケース基体２００の上側壁へとスライド移動させる。このとき、拡幅部４２０の両側面が各案内壁部２１２に挟持され摺接案内されることで、接続部材４００はその姿勢（向き）を維持しながら上方の所定の位置までスライドされる。
【００６９】
接続部材保持部２１０において接続部材４００が所定位置に挿着された状態では、案内壁部２１２の内方へせり出した係止凸部２１１に接続部材４００の拡幅面４２１が当接するため、接続部材４００は、ケース蓋３００が離脱する方向への移動が規制されて抜け止めされた状態にある。
【００７０】
次に、上述の不正開放防止手段のもう一方の構成要素である、ケース蓋３００側の角筒開口部３１０の詳細を説明する。ここで、図１４（ａ）はケース基体２００の接続部材保持部２１０とこれに対向する角筒開口部３１０の縦断面図、図１４（ｂ）は接続部材４００を介して係合接続された状態を表す、接続部材保持部２１０と角筒開口部３１０の縦断面図である。
【００７１】
角筒開口部３１０は、上述したように接続部材４００の角筒部４１０を挿入及び嵌合可能とすべく、角筒部４１０の寸法形状に整合して四角形の開口を有する容器状に形成され、ニッパー等の工具を用いて切断され得る連結部３１２を介してケース蓋３００の本体に接続している。また、角筒開口部３１０の内壁には、角筒部４１０の係合凸部４１２と係合し得る拡径した段部である係合凹部３１１が上下２箇所に形成されている。また、角筒開口部３１０の外縁を囲むように、ケース蓋３００の上側壁に囲壁部３１９が延設されている。
【００７２】
図１４（ｂ）に示されるように、ケース蓋３００がケース基体２００に閉じると、接続部材４００の角筒部４１０がケース蓋３００の角筒開口部３１０に挿入する。接続部材４００の係合凸部４１２は、一旦、角筒部４１０の側面に倣うように内側に弾性変形し、係合凹部３１１に到達したとき元の突出状態に戻って当該係合凹部３１１に係合する。一方、ケース基体２００側において接続部材４００は、その拡幅部４２０が接続部材保持部２１０の係止凸部２１１に当接して抜け止めされている。このように、不正開放防止手段は、接続部材４００を介してケース基体２００及びケース蓋３００の内部で係合し接続するので、一度この係合状態になるとこれら基板ケース部材同士を離脱することができなくなる。
【００７３】
かかる基板ケース部材同士を接続する不正開放防止手段によれば、連結部３１２を切断して角筒開口部３１０をケース蓋３００本体から切り離さない限り、ケース蓋３００とケース基体２００とを開放することができないようになっている。逆に言えば、メイン制御基板ＭＣＢの動作チェック等のために基板ケース１００を開放する場合には、連結部３１２を切断して角筒開口部３１０をケース本体から切り離すことが意図されている。すなわち連結部３１２の状態を見れば、基板ケース１００が開放されたか否かを容易に確認することができるようになっている。更に、角筒開口部３１０の連結部３１２は、正面側から目視される領域が広く形成されるのでその切断痕跡も大きく残され、これにより基板ケース１００の開放の事実を容易に確認することができる。
【００７４】
また、本実施形態の不正開放防止手段においては、四角筒状の角筒部４１０と、角筒部４１０よりも拡幅する略直方体の拡幅部４２０とを有して接続部材４００を形成し、ケース基体２００側において、拡幅部４２０の長手方向をケース基体２００の上側壁に対して直交する姿勢で拡幅部４２０の両端を係止することにより、接続部材４００を抜け止め不可に保持している。すなわち、接続部材保持部２１０は、ケース基体２００の上側壁からケース内部方向にかけ比較的長い係止領域を設けて接続部材４００の拡幅部４２０を保持しているので、例えばドリルを用いて不正に係止状態を解除しようとしても、ケース基体２００の奥まで完全に破壊しなければ係止状態を解除することができない。
【００７５】
また、角筒開口部３１０と接続部材保持部２１０とを囲繞する囲壁部３１９をケース蓋３００に設けたことにより、不正開放防止手段に対する外部からの不正なアクセスを防御し、カッターまたはドリル等を用いて係合状態を破壊する等の不正行為を更に困難にする。仮に囲壁部３１９の側方からドリル等により孔が開けられて不正開放防止手段が破壊されたとしても、傾斜壁面３２０に残された穿孔などの痕跡を正面側から容易に視認できるので、かかる不正の事実を迅速に発見することができる。更には、この係止状態が解除されるまで不正開放防止手段を破壊したとすれば、その破壊痕跡も甚大となるので、かかる不正行為の事実を容易または迅速に発見でき、これによる被害を最少限に抑えることができる。
【００７６】
次に、基板ケース１００をブラケット部材ＢＲａ、ＢＲｂを介して筐体ＭＢ内に離脱不能に取り付ける不正離脱防止手段について説明する。ここで、図１５はこの不正離脱防止手段に用いる接続部材５００の外観斜視図、図１６はブラケット部材ＢＲｂの円筒開口部２４と、これに対向するケース蓋３００側の円筒開口部３３０との構造を主に表す横断面図である。
【００７７】
図１５を参照し、接続部材５００は中空で円筒状の筒体５０１を有し、筒体５０１の両端には所定幅の切欠き溝である回転規制溝５０６、５０７が形成され、また筒体５０１のそれぞれの端近傍には、一辺を残すコの字状の溝５０３、５０５によって画成され径外方向に突出する係合凸部５０２、５０４がそれぞれ一対ずつ形成されている。
【００７８】
係合凸部５０２、５０４は、筒体５０１のそれぞれの端から中央に向かって次第に外方へ突出する斜面を有し、またコの字状の溝５０３、５０５により筒体５０１の内側に向けて弾性変形可能となっている。更に、係合凸部５０２、５０４は、それぞれの端側から見て反時計回り方向の角部が斜めに切り欠かれたテーパ面５０２ａ、５０４ａを有している。
【００７９】
なお、接続部材５００の両端に形成されている各回転規制溝５０６、５０７、及び各係合凸部５０２、５０４は、筒体５０１の円筒軸を中心に約９０度位相をずらした位置関係にある。
【００８０】
次に図１６を参照し、ブラケット部材ＢＲｂの平板部２０に形成される円筒開口部２４は、円筒の容器形状を有し、その内壁には、接続部材５００の一方の端部が挿入された際その係合凸部５０４（または係合凸部５０２）を係合させる係合凹部２４ａが、対向する２箇所に拡径した段部として形成されている。また、円筒開口部２４の底部内壁に突起部２４ｂが２箇所形成されている。
【００８１】
ケース蓋３００側の円筒開口部３３０は、ブラケット部材ＢＲｂに向けて開口する有底の円筒容器状を有し、連結部３３３を介してケース蓋３００の本体と繋がっている。連結部３３３は、２本の桁部３３３ａと、桁部３３３ａの隙間に架け渡された薄膜部３３３ｂとから構成されている（図６の拡大図を参照）。また、円筒開口部３３０の内壁には対向する２箇所に係合凹部３３１が形成され、また円筒開口部３３０の底部内壁には突起部３３２が２箇所に対向して形成されている。
【００８２】
メイン制御基板ＭＣＢを収容して組み立てられた基板ケース１００を、ブラケット部材ＢＲａ、ＢＲｂを介して離脱不能に装着する手順は以下の通りである。ここで、ブラケット部材ＢＲａ、ＢＲｂは、図示しない取付ボルトをボルト孔１０ａ、２０ａに挿通し遊技機の筐体背板に締着することで、予め固定されている。
【００８３】
まず、ブラケット部材ＢＲｂに形成されている何れかの円筒開口部２４に接続部材４００の一方の端部を挿入する。このとき係合凸部５０４は、一旦、筒体の内側に弾性変形した後、元の突出状態に戻って係合凹部２４ａに係合し円筒開口部２４に嵌り込む。一方、ケース蓋３００の側壁に形成された嵌合突起３０６（図５参照）をブラケット部材ＢＲａの嵌合凹部１１ａ（図４参照）に適度な角度で嵌合させながらケース本体をブラケット部材側へ倒し、矩形枠部３０４の支持孔３０５に支持柱部２３を挿通させる。このとき、ブラケット部材ＢＲｂの円筒開口部２４に挿入されている接続部材４００の他方の端部が、対向するケース蓋３００の円筒開口部３３０に挿入され、その係合凸部５０２が円筒開口部３３０の係合凹部３３１に係合して嵌り込む。これにより、基板ケース１００は、ブラケット部材ＢＲｂに対し離脱不能に取り付けられる。なお、接続部材５００をケース蓋３００の円筒開口部３３０に先に嵌合させてから基板ケース１００をブラケット部材ＢＲａ、ＢＲｂに装着してもよい。
【００８４】
メイン制御基板アッセンブリＭＣＡの基板ケース１００本体は、ブラケット部材ＢＲａの平板部１０、側壁部１１、支持台部１２、及びブラケット部材ＢＲｂの平板部２０、段部２１ａに支持され、また、ブラケット部材ＢＲｂの係止アーム２５の係止突起２５ａが一旦、外方へ弾性変形しケース蓋３００上側縁の係止端３０８に係止することにより、ブラケット部材ＢＲａ、ＢＲｂの各部に抱持されるように安定して装着される（図３参照）。また、ブラケット部材ＢＲａ、ＢＲｂを筐体に固定するボルト孔１０ａ、２０ａはケース基体２００の背面で塞がれるため、ケース基体２００を取り外さない限りブラケット部材ＢＲａ、ＢＲｂごと基板ケース１００が遊技機の筐体から奪取されることもない。
【００８５】
なお、メイン制御基板ＭＣＢの検査等するために基板ケース１００を筐体から取り外す場合には、接続部材５００が挿入された円筒開口部３３０の連結部３３３を切断し当該円筒開口部を切り離すことにより、基板ケース１００をブラケット部材ＢＲｂから取り外すことが可能となる。
【００８６】
例えば、遊技機を工場出荷するときには、複数の円筒開口部２４、３３０のうち最も下に位置する円筒開口部に接続部材５００が挿入されて基板ケース１００が係合接続されている。そして、パチンコホール等の遊技店に遊技機を設置後メイン制御基板ＭＣＢを検査する際には、ニッパー等の工具を用いて連結部３３３を切断し、当該円筒開口部３３０をブラケット部材ＢＲｂ側に残したまま基板ケース１００を筐体から取り外す。
【００８７】
検査をした後、基板ケース１００をブラケット部材ＢＲａ、ＢＲｂに再び戻して装着するには、未使用の円筒開口部２４、３３０に接続部材５００を挿入して係合接続する。この際、円筒容器開口部２５０、３５０（図４参照）に格納しておいた予備の接続部材５００を用いてもよいが、接続機能を失った使用済みの円筒開口部３３０から接続部材５００を取り出して再使用してもよい。
【００８８】
すなわち、ブラケット部材ＢＲｂ側に残された円筒開口部３３０を反時計回りに回転させると、接続部材５００のテーパ面５０２ａ（または５０４ａ）が円筒開口部３３０（または２４）の係合凹部３３１（または２４ａ）側段部に当接し弾性変形して半径中心方向に引込むため、これらの係合状態が解除される。この状態では切り離された円筒開口部３３０を円筒開口部２４から引き抜くことができ、内部の接続部材５００を取り出すことができるようになっている。
【００８９】
なお、ケース蓋３００の各円筒開口部３３０には、下から例えばＡ、Ｂ、Ｃ、Ｄと順にアルファベット文字の識別符号が付与されており、その符号が各円筒開口部に隣接してケース蓋３００の前面に刻印されている。そして、上述したように基板ケース１００を取り外して検査をする際、再係合した円筒開口部３３０の識別符号と、検査日、検査担当者名、検査結果等の検査履歴をケース蓋３００に貼り付けられた検査シートに書き込んで管理している。
【００９０】
上述したように、スロットマシンＳＭ等の遊技機に設けられる本実施形態のメイン制御基板アッセンブリＭＣＡによれば、遊技機の動作制御を行うメイン制御基板ＭＣＢにおいて、外部接続用のコネクタ７０１〜７０５をコネクタ台座６００、６５０を介して実装し、ケース蓋３００側のコネクタ開口部３６１〜３６５の周縁に形成した囲壁部３７１、３７２をコネクタ台座６００、６５０に密接させることで、コネクタ開口部３６１〜３６５を密閉しながら当該開口部を通してコネクタ７０１〜７０５を外部に露出させる。したがって、コネクタ開口部３６１〜３６５から不正に針金等の異物を侵入させることは困難となる。また、仮にコネクタ開口部３６１〜３６５がこじ開けられて異物の侵入を許したとしても、コネクタ台座６００、６５０がメイン制御基板ＭＣＢの配線パターンを覆うことで、短絡または不当な信号の付与等の不正なアクセスを防止することができる。また、コネクタ台座６００、６５０の周囲に突出するリブ６０５により、異物の更なる内部侵入を阻むので、メイン制御基板ＭＣＢの配線パターンや電子部品への不正行為を確実に防止することができる。
【００９１】
なお、本発明に関わる基板ケース１００は、スロットマシンのメイン制御基板の用途のみならず、演出を主に司るサブ制御基板等の他の制御回路基板を収容するものであってもよい。また、パチンコ機、じゃん球遊技機等のマイコンにより動作する他の遊技機に搭載される制御回路基板にも適用が可能である。
【図面の簡単な説明】
【００９２】
【図１】図１は本発明の一実施形態によるスロットマシンの外観を表す正面図である。
【図２】図２は本発明の一実施形態によるスロットマシンの前扉を開放して筐体内の構造を表す正面図である。
【図３】図３は本発明の一実施形態によるメイン制御基板アッセンブリの外観を表す斜視図である。
【図４】図４は本発明の一実施形態によるメイン制御基板アッセンブリの構成を表す分解斜視図である。
【図５】図５は本発明の一実施形態による基板ケースを背後から見た分解斜視図である。
【図６】図６は本発明の一実施形態によるケース蓋の一部を拡大して表す斜視図である。
【図７】図７は本発明の一実施形態によるメイン制御基板アッセンブリのコネクタ実装部分の構造を表す断面図である。
【図８】図８は本発明の一実施形態によるメイン制御基板とコネクタの間に介在させるコネクタ台座の一部切断面を含む斜視図である。
【図９】図９は本発明の一実施形態による基板ケースの正面図である。
【図１０】図１０は本発明の一実施形態による不正開放防止手段に用いる接続部材の外観斜視図である。
【図１１】図１１は本発明の一実施形態による不正開放防止手段の接続部材保持部を拡大して表す正面図である。
【図１２】図１２は本発明の一実施形態による不正開放防止手段の接続部材保持部の縦断面図である。
【図１３】図１３は本発明の一実施形態による不正開放防止手段の接続部材保持部の横断面図である。
【図１４】図１４は本発明の一実施形態による不正開放防止手段の縦断面図である。
【図１５】図１５は本発明の一実施形態による不正離脱防止手段に用いる接続部材の外観斜視図である。
【図１６】図１６は本発明の一実施形態による不正離脱防止手段の横断面図である。
【図１７】図１７は従来例による基板ボックス装置のコネクタ実装部分の構造を表す断面図である。
【符号の説明】
【００９３】
ＳＭ…スロットマシン、  ＭＣＢ…メイン制御基板、  ＭＣＡ…メイン制御基板アッセンブリ、
ＢＲａ、ＢＲｂ…ブラケット部材、
１０…平板部、  １０ａ…ボルト孔、  １１…側壁部、  １１ａ…嵌合凹部、  １２…支持台部、
２０…平板部、  ２０ａ…ボルト孔、  ２１…側壁部、  ２２…支持台部、  ２３…支持柱部、
２４…円筒開口部、  ２４ａ…係合凹部、  ２４ｂ…突起部、  ２５…係止アーム、
１００…基板ケース、  ２００…ケース基体、
２０１…ヒンジ軸受、  ２０２…係止アーム、  ２０２ａ…係止孔、
２０３…底板、  ２０４…下側壁、
２１０…接続部材保持部、  ２１１…係止凸部、  ２１２…案内壁部、  ２１３…挿入口、
２４０…円筒開口部、  ２５０…円筒容器開口部、
３００…ケース蓋、
３０１…ヒンジ軸、  ３０２…外壁、  ３０３…係止突起、  ３０４…矩形枠部、
３０５…支持孔、  ３０６…嵌合突起、  ３０７…内壁、  ３０８…係止端、
３１０…角筒開口部、  ３１１…係合凹部、  ３１２…連結部、
３１９…囲壁部、  ３２０…傾斜壁面、
３３０…円筒開口部、  ３３１…係合凹部、  ３３２…突起部、
３３３…連結部、  ３３３ａ…桁部、  ３３３ｂ…薄膜部、
３４０…円筒開口部、  ３４２…連結部、  ３４９…囲壁部、
３５０…円筒容器開口部、  ３５２…連結部、  ３５９…囲壁部、
３６１〜３６５…コネクタ開口部、  ３７１、３７２…囲壁部、
４００…接続部材、
４１０…角筒部、  ４１１…筒体、  ４１２…係合凸部、  ４１３…溝、
４２０…拡幅部、  ４２１…拡幅面、
５００…接続部材、
５０１…筒体、  ５０２…係合凸部、  ５０２ａ…テーパ面、  ５０３…溝、
５０４…係合凸部、  ５０４ａ…テーパ面、  ５０５…溝、  ５０６、５０７…回転規制溝、
６００…コネクタ台座、  ６０１、６０２、６０３…コネクタ支持部、６０４…ケース当接面、
６０５…リブ、  ６５０…コネクタ台座、  ７０１〜７０５…コネクタ、
９０１…蓋体、  ９０２…基体、  ９０３…制御基板、  ９０４…コネクタ、  ９０５…コネクタ開口部、
９０６…囲み壁、  ９０７…防護壁、  ９０８…コネクタ配設領域、  ９０９…回路領域
【図１】
2006255126.tif 000003
【図２】
2006255126.tif 000004
【図３】
2006255126.tif 000005
【図４】
2006255126.tif 000006
【図５】
2006255126.tif 000007
【図６】
2006255126.tif 000008
【図７】
2006255126.tif 000009
【図８】
2006255126.tif 000010
【図９】
2006255126.tif 000011
【図１０】
2006255126.tif 000012
【図１１】
2006255126.tif 000013
【図１２】
2006255126.tif 000014
【図１３】
2006255126.tif 000015
【図１４】
2006255126.tif 000016
【図１５】
2006255126.tif 000017
【図１６】
2006255126.tif 000018
【図１７】
2006255126.tif 000019
【手続補正書】
【提出日】平成17年12月21日(2005.12.21)
【手続補正１】
【補正対象書類名】特許請求の範囲
【補正対象項目名】全文
【補正方法】変更
【補正の内容】
【特許請求の範囲】
【請求項１】
所要の電子部品を装備した制御回路基板を相対向するケース基体とケース蓋との間に閉塞して収容する遊技機用制御基板アッセンブリであって、
前記ケース蓋には、前記制御回路基板に実装されるコネクタを挿通して外部へ露出するためのコネクタ開口部と、該コネクタ開口部の周縁を囲み前記制御回路基板側へ突出する壁部とが形成され、
実装された前記コネクタの底部及び前記制御回路基板の表面との間に挟まれて密接するコネクタ支持部と、前記ケース基体及び前記ケース蓋とが閉塞する状態において前記コネクタ開口部の周縁に形成した前記壁部の先端部分が隙間なく当接する当接面とを有するコネクタ台座部材を備え、
更に前記コネクタ台座部材には、前記ケース蓋側及び前記制御回路基板側に向けて突出するリブが形成されていることを特徴とする、遊技機用制御基板アッセンブリ。
【手続補正２】
【補正対象書類名】明細書
【補正対象項目名】００１０
【補正方法】変更
【補正の内容】
【００１０】
上述した課題を解決するため、請求項１に記載の発明は、所要の電子部品を装備した制御回路基板を相対向するケース基体とケース蓋との間に閉塞して収容する遊技機用制御基板アッセンブリであって、前記ケース蓋には、前記制御回路基板に実装されるコネクタを挿通して外部へ露出するためのコネクタ開口部と、該コネクタ開口部の周縁を囲み前記制御回路基板側へ突出する壁部とが形成され、実装された前記コネクタの底部及び前記制御回路基板の表面との間に挟まれて密接するコネクタ支持部と、前記ケース基体及び前記ケース蓋とが閉塞する状態において前記コネクタ開口部の周縁に形成した前記壁部の先端部分が隙間なく当接する当接面とを有するコネクタ台座部材を備え、更に前記コネクタ台座部材には、前記ケース蓋側及び前記制御回路基板側に向けて突出するリブが形成されていることを特徴とする。
【手続補正３】
【補正対象書類名】明細書
【補正対象項目名】００１１
【補正方法】変更
【補正の内容】
【００１１】
請求項１に記載の遊技機用制御基板アッセンブリによれば、制御回路基板に実装されたコネクタの底部と当該制御回路基板の表面との間に挟まれて密接するコネクタ台座部材が備えられ、ケース基体とケース蓋とが閉塞し制御回路基板を収容する状態においては、コネクタ開口部の周縁に形成した壁部の先端部分が上記コネクタ台座部材の当接面に隙間なく当接することにより、コネクタ開口部からケース内部への異物の侵入を防止する。
【手続補正４】
【補正対象書類名】明細書
【補正対象項目名】００１２
【補正方法】変更
【補正の内容】
【００１２】
そして、万が一、コネクタ開口部周縁の壁部とコネクタ台座部材との当接面との間を通して異物の侵入を許したとしても、当接面に交差するリブにより更なる侵入を阻むので、配線パターンへの不正なアクセスが確実に防止される。
【手続補正５】
【補正対象書類名】明細書
【補正対象項目名】００１３
【補正方法】変更
【補正の内容】
【００１３】
また、コネクタ台座部材の両面側にリブを形成することで、例えば制御回路基板のリフロー（はんだ付け）の工程の際に生じやすい反りや撓み等の熱変形を極力小さくすることができる。これにより、上述したケース蓋の壁部との密着性を良好にし、異物の侵入を確実に阻止するとともに、製品歩留まりが向上する。
【手続補正６】
【補正対象書類名】明細書
【補正対象項目名】００１４
【補正方法】変更
【補正の内容】
【００１４】
上述したように、本発明の遊技機用制御基板アッセンブリによれば、コネクタ開口部からケース内部への異物の侵入を確実に防止することができる。また、コネクタ台座部材にリブを形成したことにより、製造時等に生じるおそれがあるコネクタ台座部材の反りや撓み等の変形を微小に抑えることができる。したがって、コネクタ台座部材を介して制御回路基板をケース基体及びケース蓋で密閉し、異物の侵入を確実に阻止するとともに、アッセンブリ製品の歩留まりをも向上させることができる。